(57)【特許請求の範囲】
【請求項１】
円形等の適宜の形状を有し、表裏２枚のアクセサリー材の間に写真やイラスト等の装飾を施したシートを挟んだ状態で載置したものを加圧して上記表裏２枚のアクセサリー材の間に紙材を挟持固定させるとともに、以下の要件を備えたことを特徴とするアクセサリーの製作装置。
（イ）上記装置本体は、開口部を有し、該開口部の内部にはアクセサリー材を載置する載置部が設けられ、開口部には開閉自在のドア部材が設けられていること
（ロ）上記開口部内上方には、操作レバーにより上記アクセサリー材を加圧するための加圧部材が配置されていること
（ハ）上記操作レバーは、上記ドア部材に係合可能に配置され、ドア部材が全閉時にのみドア部材との係合が解除されるように形成されていること
（ニ）上記載置部の下方には、加圧によって製作されたアクセサリーの排出口が形成されていること
（ホ）上記排出口は開閉自在に形成されていること」
【発明の詳細な説明】
【０００１】
【発明の属する技術分野】
本発明は、バッジなどのアクセサリーの製作装置に関する。
【０００２】
【従来技術とその問題点】
従来、缶バッジに代表されるような、子供向けのアクセサリーが永年にわたって販売されているが、市場で販売されているものは、特定のタレント、歌手あるいはキャラクター等が描かれている商品であり、必ずしも自分の好きな絵柄が表示されているものがあるとは限らない。
【０００３】
これに対し、最近、個人的な写真や絵を表現した缶バッジの製作装置も知られている。これは、円形の金属板上に好みの写真や絵柄を載せ手固定するものである。
【０００４】
しかし、金属板は薄いので、装置を操作するときに扱いが悪いと怪我をするおそれがあった。
【０００５】
【発明が解決しようとする課題】
本発明は上記問題点を解消し、自分好みのオリジナルのアクセサリーを簡単、確実に作ることができ、子どもでも使用できるように安全面にも配慮したバッジなどのアクセサリーの製作装置を提供することをその課題とする。
【０００６】
【課題を解決するための手段】
前記課題を解決するため、本発明に係るアクセサリーの製作装置は、円形等の適宜の形状を有し、表裏２枚のアクセサリー材の間に写真やイラスト等の装飾を施したシートを挟んだ状態で載置したものを加圧して上記表裏２枚のアクセサリー材の間に紙材を挟持させる装置本体とから構成され、以下の要件を備えたことを特徴とする。
（イ）上記装置本体は、開口部を有し、該開口部の内部にはアクセサリー材を載置する載置部が設けられ、開口部には開閉自在のドア部材が設けられていること
（ロ）上記開口部内上方には、操作レバーにより上記アクセサリー材を加圧するための加圧部材が配置されていること
（ハ）上記操作レバーは、上記ドア部材に係合可能に配置され、ドア部材が全閉時にのみドア部材との係合が解除されるように形成されていること
（ニ）上記載置部の下方には、加圧によって製作されたアクセサリーの排出口が形成されていること
（ホ）上記排出口は開閉自在に形成されていること」
【０００７】
【発明の実施の形態】
図１において符号１はバッジの製作装置を示す。この製作装置１は装置本体１ａとバッジ部材２とそのホルダ３（図２及び図４参照）とから構成されている。
【０００８】
装置本体１ａは筒状に形成され、その前面には開口部４が形成され、開口部４には平面視において円弧状のドア部材５が摺動自在に配置されている。ドア部材５を摺動することにより、上記開口部４が開閉されるようになっている。ドア部材５の上端には内側に屈曲した係合片５ａが形成されている。
【０００９】
上記開口部４の内側上部には加圧部材６が上下動自在に配置されている。図２に示されるように、加圧部材６の上部は押し杆７を介して操作レバー８に回動自在に連結されている。操作レバー８は一部が曲がった部材で、上端は装置本体１ａの上部に形成された案内溝９を貫通して外方に突出され、握り玉１０が形成されている。操作レバー８の下端近傍は装置本体１ａの支軸１１に回動自在に連結されている。また、操作レバー８は全体として斜めに配置されるが、上記下端は水平になるように屈曲して係合部１２が形成されている。なお、操作レバー８はバネ１３により常時加圧部材６が上方に位置するように付勢されている。
【００１０】
ところで、操作レバー８の下端の係合部１２はドア部材５の上端の係合片１４の下部に係合するように配置されている。この係合は、図３に示されるように、ドア部材５が摺動して開口部４を全閉した時にのみ解除されるように形成されている。
【００１１】
上記開口部４の内側底部にはホルダ３が嵌まる程度の穴１５が形成され、ホルダ３の載置部１６が形成されている。上記穴１５は上記加圧部材６の下方に位置している。載置部１６は上記穴１５の下に受け板１７を前後に移動可能に設けることによって開閉自在になっている。すなわち、受け板１７の一端には突軸部１８が突出形成され、その端部は垂直軸１９によって水平方向に回動可能に支持されている。そして、バネ２０によって常時上記穴１５を閉じる方向に付勢されている。また、突軸部１８の下方には突部２１が形成され、突部２１には上記開口部４の側部に設けられた押しボタン２２の軸体２２ａの先端に係合している。したがって、押しボタン２２を押すことによって受け板１７は回動して穴１５を開放することができる。
【００１２】
上記穴１５の下方には傾斜したバッジ排出板２３が形成されている。バッジ排出板２３は上記開口部４の下方の排出口２９に臨んでいる。
【００１３】
図４に示されるように、バッジ部材２は、それぞれ円板状に形成された透明の大径バッジ部材２ａと小径バッジ部材２ｂと装飾シート２ｃとから構成されている。また、大径バッジ部材２ａの裏面の外周には縁部が形成され、該周縁部の内側には凹部２４が形成されている。そして、凹部２４の内面には一定の間隔に溝２５が形成されている。これに対し、小径バッジ部材２ｂの外周面には一定の間隔に突起２６が形成されている。小径バッジ部材２ｂの突起２６は大径バッジ部材２ａの溝２５の内側に係合可能に形成されている。
【００１４】
装飾シート２ｃは表面に写真や絵柄などが表示されているもので、紙でも合成樹脂シートでもよい。装飾シート２ｃは上記大径バッジ部材２ａの凹部２４の内側に収まる大きさに形成されている。写真などを上記凹部に収まる大きさに形成するには、適宜のテンプレートを使えばよい。
【００１５】
ホルダ３は、ドーナツ状に形成され、表面には上記大径バッジ部材２ａが嵌まる程度の凹部２７が形成されている。
【００１６】
次に、上記構成のバッジの製作装置１の使用態様について説明する。まず、大径バッジ部材２ａの凹部２４の内側に装飾シート２ｃを裏側にして収める。その上に小径バッジ部材２ｂを重ねる。さらに、バッジ部材２をホルダ３の凹部２７内に嵌合させ、装置本体１ａのドア部材５を全開して上記バッジ部材２を開口部４の内側の載置部１６の上に載置する。そして、ドア部材５を閉める。このとき、ドア部材５を半端に閉めると、ドア部材５の上端の係合片１４と操作レバー８の下端の係合部１２とが係合して操作レバー８は作動できない。ドア部材５を全閉した後、操作レバー８の握り玉１０を握って下方に回動させると、加圧部材６が下降してホルダ３の小径バッジ部材２ｂを下方に加圧する。この圧力によって小径バッジ部材２ｂは大径バッジ部材２ａの凹部２４内に強制的に嵌合され、大径バッジ部材２ａの凹部２４の内面の溝２５に小径バッジ部材２ｂの外周面の突起２６が係合する。これによって、装飾シート２ｃが大径バッジ部材２ａと小径バッジ部材２ｂとの間に挟持され、バッジが完成する。その後、操作レバー８を離して初期位置に戻す。図５（ａ）（ｂ）は完成したバッジＡを示す。
【００１７】
バッジが完成したら、装置本体１ａの下部の押しボタン２２を押すと、載置部１６の受け板１７が回動して穴１５が開放し、バッジは穴１５の下方のバッジ排出板２３を滑落して排出口２９から排出される。
【００１８】
バッジＡは両面接着材によって直接に衣服やバッグに固定してもよく、またバッジＡの小径バッジ部材２ｂの背面に適宜のクリップや留めピンを接着固定して留めるようにしてもよい。
【００１９】
なお、上述の例は円形のバッジを製作する装置に関するものであったが、この例に限定されない。方形であってもよく、また他のアクセサリーを製作するのにも利用することができる。
【００２０】
また、大径バッジ部材の一部を表面側に膨出させ、この膨出部にビーズや色付きの飾り砕片を入れるようにしてもよい。
【００２１】
【発明の効果】
請求項１に係る発明によれば、出来合いのものではなく、自分好みのオリジナルのアクセサリーを簡単、確実に作ることができる。操作レバーはドア部材が全閉時にのみドア部材の係合が解除されるようになっているから、子どもが開口部から指を入れた状態では操作レバーを作動させることができない。したがって、子どもでも安全に使用することができる。
【００２２】
また、製作されたアクセサリーは、ドア部材を作動させなくても載置部を開放することにより排出口から取り出すことができるので、扱いが簡単である。
【図面の簡単な説明】
【図１】  本発明に係るアクセサリーの製作装置の一例の斜視図
【図２】  上記製作装置の要部の縦断面図
【図３】  上記製作装置の要部の横断面図
【図４】  バッジ部材とホルダの分解斜視図
【図５】  （ａ）（ｂ）は完成したバッジの斜視図及び縦断面図
【符号の説明】
１  バッジの製作装置
４  開口部
５  ドア部材
８  操作レバー
１６  載置部
【図１】
0003669977.tif 000002
【図２】
0003669977.tif 000003
【図３】
0003669977.tif 000004
【図４】
0003669977.tif 000005
【図５】
0003669977.tif 000006